(57)【要約】      （修正有）【課題】着用時の吸着による圧迫力が吸収され、パッドによる眼窩の周囲の輪郭に対する圧迫感が低減し、快適な密着効果を達成させるゴーグルパッドを提供する。【解決手段】ゴーグルのフレーム体に固装されると共に眼窩の周囲に密着させるために用いられるゴーグルパッドであり、内周面２０及び外周面２１を有し、内周面には収容溝２２が設けられる連接フレーム２と、連接フレームの内周面の周縁に沿って延伸され、外側面３０及び内側面３１を有するチーク部３と、連接フレームの内周面の周縁とチーク部の外側面との間に設置されるバッファ装置４とを備える。バッファ装置によりチーク部が圧迫される際の変形の支持及び圧迫された後の回復力が提供される。【選択図】図２
0003205202.tif 000002
【実用新案登録請求の範囲】
【請求項１】
ゴーグルのフレーム体に固装され、眼窩の周囲に密着させるためのゴーグルパッドであって、前記ゴーグルパッドは、
ゴーグルのフレーム体に固装され、内周面及び外周面を有し、且つ前記内周面と外周面との間には収容溝が設けられる連接フレームと、
前記連接フレームの内周面の周縁に沿って延伸され、外側面及び内側面を有するチーク部と、
前記連接フレームの内周面の周縁と前記チーク部の外側面との間に設置され、且つ複数のチャンバーからなり、各チャンバーは少なくとも２つの支持リブ及び複数の周辺により形成されると共に開口部を有するバッファ装置とを備え、
ここでは、前記複数のチャンバー及び開口部により、前記チーク部が圧迫された際の変形の支持及び圧迫された後の回復力が提供されることで、着用時の吸着による圧迫力が吸収されることを特徴とするゴーグルパッド。
【請求項２】
前記パッドは眼窩の周囲の輪郭に適合され、眼窩の眉毛に近接される一側に位置される連接フレーム、チーク部及びバッファ装置の軸方向長さは、眼窩の頬骨に近接される一側に位置される軸方向長さより短く、これによって眼窩の周囲の上が凸み下が凹む輪郭に適合され、前記パッドの着用後に眼窩の周囲の輪郭にスムーズにぴったりと接触されることを特徴とする、請求項１に記載のゴーグルパッド。
【請求項３】
前記複数のチャンバーは眼窩の周囲の輪郭に適合され、眼窩の眉毛に近接される一側には局部的に設置され、眼窩の頬骨に近接される一側の位置には全面的に設置されることを特徴とする、請求項１に記載のゴーグルパッド。
【請求項４】
前記複数のチャンバーは眼窩の周囲の輪郭に適合され、眼窩の眉毛に近接される一側に位置される箇所は、眼窩の頬骨に近接される一側に位置される箇所に比べて小さく、且つ分散されていることを特徴とする、請求項１に記載のゴーグルパッド。
【請求項５】
前記複数のチャンバーは眼窩の周囲の輪郭に適合され、眼窩の鼻梁に近接される一側から眼窩の目尻に近接される一側に沿って配列され、小さいものから徐々に大きくなるように設置されることを特徴とする、請求項１に記載のゴーグルパッド。
【請求項６】
前記複数のチャンバーは前記連接フレームの外周面及び前記チーク部の外側面に連続的に一体成形され、少なくとも２つの支持リブ及び複数の周辺により形成される各チャンバーは、ハニカム形状、楕円形、長方形等のような幾何形状であり、前記チャンバーの開口部は対応するようにハニカム形状、楕円形或いは長方形に形成されることを特徴とする、請求項１に記載のゴーグルパッド。
【請求項７】
前記連接フレームの外周面には前記開口部と同じ幾何形状が設けられ、これによって前記連接フレーム及び前記バッファ装置に視覚的な一体感が形成されることを特徴とする、請求項６に記載のゴーグルパッド。
【請求項８】
ゴーグルのフレーム体に固装され、眼窩の周囲に密着させるためのゴーグルパッドであって、前記ゴーグルパッドは、
ゴーグルのフレーム体に固装され、内周面及び外周面を有し、且つ前記内周面と外周面との間には収容溝が設けられる連接フレームと、
前記連接フレームの内周面の周縁に沿って延伸され、外側面及び内側面を有するチーク部と、
前記連接フレームの内周面の周縁と前記チーク部の外側面との間に設置され、且つ複数の支持リブ及び隣接する支持リブの間に形成される開口部からなるバッファ装置とを備え、
ここでは、これら前記支持リブ及びこれら前記開口部により、前記チーク部が圧迫される際の変形の支持及び圧迫された後の回復力が提供されることで、着用時の吸着による圧迫力が吸収されることを特徴とするゴーグルパッド。
【請求項９】
前記パッドは眼窩の周囲の輪郭に適合され、眼窩の眉毛に近接される一側に位置される連接フレーム、チーク部及びバッファ装置の軸方向長さは、眼窩の頬骨に近接される一側に位置される軸方向長さより短く、これによって眼窩の周囲の上が凸み下が凹む輪郭に適合され、前記パッドの着用後に眼窩の周囲の輪郭にスムーズにぴったりと接触されることを特徴とする、請求項８に記載のゴーグルパッド。
【請求項１０】
これら前記支持リブは等間隔で配列されて前記連接フレームの外周面及び前記チーク部の外側面に一体形成され、且つ眼窩の周囲の輪郭に適合され、眼窩の眉毛に近接される一側には局部的に設置され、且つ眼窩の頬骨に近接される一側に比べて小さい上に分散され、眼窩の頬骨に近接される一側には全面的に設置されることを特徴とする、請求項９に記載のゴーグルパッド。
【請求項１１】
これら前記支持リブ及び開口部は眼窩の周囲の輪郭に適合され、眼窩の鼻梁に近接される一側から眼窩の目尻に近接される一側に沿って配列され、これら前記支持リブ及び開口部のサイズは小さいものから徐々に大きくなるように設置されることを特徴とする、請求項８に記載のゴーグルパッド。
【考案の詳細な説明】
【技術分野】
【０００１】
本考案は、ゴーグルに装設され、着用者の眼窩の周囲に対する圧迫感を低減させ、快適な密着効果を提供し、且つ水が滲みないゴーグルパッドに関する。
【背景技術】
【０００２】
周知のように、ゴーグルパッドの機能は、顔の眼窩の周囲に密着させることで水が滲み込むことを防ぐ効果を達成させる。
【考案の概要】
【考案が解決しようとする課題】
【０００３】
しかしながら、顔の眼窩の周囲の輪郭は凹凸状を呈するため、すなわち、眼窩の周囲の眉毛間の下方は頬骨の上方に比べて突出しており、眼窩の周囲の輪郭全体が上が凸み下が凹む形態を呈する。このため、スポンジ式パッドか吸盤式パッドかによらず、どれもゴーグルの紐を引っ張って緊縛させる必要があり、眼窩の周囲の上が凸み下が凹む輪郭に適合させなければ、緊縛力が不十分な場合、頬骨の上方(すなわち、眼窩の周囲の輪郭の下が凹む箇所)への密着性が不足し、水が滲み込む。ゴーグルの紐は、引っ張って緊縛させて着用し易くするように大きめになっているため、眼窩の周囲に圧迫感を与え、非常に不快であった。
【０００４】
特に、吸盤式パッドは圧着吸着方式により眼窩の周囲により強い圧迫感を与え、着用過程で不快感を覚えやすく、眼窩の周囲に跡がつく現象が発生した（図１Ａ乃至Ｄ参照）。従来の吸盤式パッド５は連接フレーム５０及び顔当て５１を有し、前記連接フレーム５０はゴーグルのフレーム体(図示せず)に固装される収容溝５０１を有し、顔当て５１は外側面５１１及び内側面５１２を有し、前記外側面５１１が圧迫変形されることで、前記内側面５１２に吸着力が発生して眼窩の周囲に吸着され、前記外側面５１１の圧迫変形により眼窩の周囲に直接力が加えられるため、眼窩の周囲の圧迫感が鮮明で直接的になる。このため、どのようにこの現象を改善させるかが、吸盤式パッドに存在する解決が待たれる課題であった。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案のゴーグルパッドは吸盤式パッドを提供することを主目的とする。
【課題を解決するための手段】
【０００７】
上述した課題を解決し、目的を達成するために、本考案に係るゴーグルパッドは、ゴーグルのフレーム体に固装されると共に眼窩の周囲に密着させるために用いられる。前記ゴーグルパッドは、ゴーグルのフレーム体に固装され、内周面及び外周面を有し、前記内周面には収容溝が設けられる連接フレームと、前記連接フレームの内周面の周縁に沿って延伸され、外側面及び内側面を有するチーク部と、前記連接フレームの内周面の周縁と前記チーク部の外側面との間に設置され、前記チーク部が圧迫される際の変形の支持及び圧迫された後の回復力を提供し、着用時の吸着による圧迫力が吸収されるバッファ装置とを備える。
【０００８】
好ましくは、前記バッファ装置は、複数のチャンバーを備え、各チャンバーは少なくとも２つの支持リブ及び複数の周辺により形成されると共に開口部を有し、これら前記複数のチャンバー及び開口部により変形の支持及び圧迫された後の回復力が提供される。
【０００９】
好ましくは、前記バッファ装置は、複数の支持リブ及び隣接する支持リブの間に形成される開口部を更に備え、これら前記支持リブ及び開口部により変形の支持及び圧迫された後の回復力が提供される。
【００１０】
本考案に係るゴーグルパッドの他の特徴は、前記パッドは眼窩の周囲の輪郭に適合され、眼窩の眉毛に近接される一側に位置される連接フレーム、チーク部及びバッファ装置の軸方向長さは、眼窩の頬骨に近接される一側に位置される軸方向長さより短く、このため眼窩の周囲の上が凸み下が凹む輪郭に適合され、前記パッドが着用後に眼窩の周囲の輪郭にスムーズにぴったりと接触される。
【００１１】
本考案に係るゴーグルパッドのさらなる他の特徴は、これら前記支持リブ及び開口部は眼窩の周囲の輪郭に適合され、眼窩の眉毛に近接される一側には局部的に設置され、眼窩の頬骨に近接される一側の位置には全面的に設置される。
【００１２】
本考案に係るゴーグルパッドのさらなる他の特徴は、これら前記支持リブ及び開口部の大きさ及び密度は、眼窩の眉毛に近接される一側に位置される箇所は、眼窩の頬骨に近接される一側に位置される箇所に比べて小さく、且つ分散されている。
【００１３】
本考案に係るゴーグルパッドのさらなる他の特徴は、これら前記支持リブ及び開口部は眼窩の周囲の輪郭に適合され、眼窩の鼻梁に近接される一側から眼窩の目尻に近接される一側にかけて、小さいものから徐々に大きくなるように設置される。
【考案の効果】
【００１４】
本考案によれば、前記パッドがゴーグルに装設されて着用された後、着用時の吸着による圧迫力が吸収され、パッドによる眼窩の周囲の輪郭に対する圧迫感が低減し、これにより快適な密着効果を提供し、且つ水が滲み込まない。
【図面の簡単な説明】
【００１５】
【図１Ａ】従来のパッドの外観斜視図を示す。
【図１Ｂ】従来のパッドの平面図を示す。
【図１Ｃ】従来のパッドの正面図を示す。
【図１Ｄ】従来のパッドの断面図（図１ＣのＡ-Ａの断面）を示す。
【図２】本考案の第１実施形態のパッドを示す外観斜視図である。
【図３】本考案の第２実施形態のパッドを示す外観斜視図である。
【図４Ａ】本考案の第３実施形態のパッドの外観斜視図を示す。
【図４Ｂ】本考案の第３実施形態のパッドの平面図を示す。
【図４Ｃ】本考案の第３実施形態のパッドの底面図を示す。
【図５】図４に示す正面図である。
【図５Ａ】図５に示すＡ−Ａの断面図を示す。
【図５Ｂ】図５に示すＢ−Ｂの断面図を示す。
【図５Ｃ】図５に示すＣ−Ｃの断面図を示す。
【図６Ａ】図６Ａは図１Ｄ及び図５Ａが並置される時の図１Ｄの概略図である。
【図６Ｂ】図６Ｂは図１Ｄ及び図５Ａが並置される時の図５Ａの概略図である。
【図７】本考案のパッド及びゴーグルの左右のフレーム及び連接部材を示す展開図である。
【図８】図７に示す組み合わせ図である。
【図９Ａ】図９Ａは図８に示す正面図を示す。
【図９Ｂ】図９Ｂは図８に示す平面図を示す。
【図９Ｃ】図９Ｃは図８に示す底面図を示す。
【考案を実施するための形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１７】
（第１実施形態）
図２に示すように、前記パッド１には熱可塑性ゴム(ThermoPlasticRubber；TPR)或いはシリコン(Silicon)材質が採用され、連接フレーム２と、チーク部３と、バッファ装置４とを備える。前記連接フレーム２はゴーグルのフレーム体(図７参照)に固装され、内周面２０及び外周面２１を有し、前記内周面２０と外周面２１との間には収容溝２２が設けられ、前記ゴーグルの左右のフレーム体の周縁への固装に使用される。前記チーク部３は前記連接フレーム２の内周面２０の周縁に沿って延伸され、外側面３０及び内側面３１を有し、前記内側面３１は眼窩の周囲への接触に用いられる。前記バッファ装置４は前記連接フレーム２の内周面２０の周縁と前記チーク部３の外側面３０との間に設置される。本実施形態によると、前記バッファ装置４は、複数の間隔を空けて配列される支持リブ４１及び隣接する支持リブの間に形成される開口部４２を備え、これら前記支持リブ４１及びこれら前記開口部４２により前記チーク部３が圧迫される際の変形の支持及び圧迫された後の回復力が提供され、これによって着用時の吸着による圧迫力が吸収される。このように、着用時の吸着による圧迫力が吸収されることで、前記チーク部３の圧迫変形による圧力が眼窩の周囲に直接加えられなくなる緩衝効果を有し、パッドによる眼窩の周囲の輪郭に対する圧迫感が低減し、これにより快適な密着効果を提供し、且つ水が滲み込まない。
【００１８】
（第２実施形態）
図３に示すように、前記パッド１'には同様に熱可塑性ゴム(ThermoPlasticRubber；TPR)或いはシリコン(Silicon)材質が採用され、連接フレーム２'と、チーク部３'と、バッファ装置４'とを備える。前記連接フレーム２'は内周面２０'及び外周面２１'を有し、前記内周面２０'と外周面２１'との間には収容溝２２'が設けられ、前記ゴーグルのフレーム体の周縁への固装に用いられる。前記チーク部３'は前記連接フレーム２'の内周面２０'の周縁に沿って延伸され、外側面３０'及び内側面３１'を有し、前記内側面３１'は眼窩の周囲への接触に使用される。前記バッファ装置４'は前記連接フレーム２'の内周面２０'の周縁と前記チーク部３'の外側面３０'との間に設置される。本実施形態に係る前記バッファ装置４'は、複数のチャンバー４０'を備え、各チャンバー４０' は２つの支持リブ４０１'及び複数の周辺４０２'によりハニカム形状、楕円形、長方形等の幾何形状に形成される。本実施形態では楕円形であり、且つ楕円形の開口部４０３'を有する。前記複数のチャンバー４０'及び開口部４０３'により前記チーク部３'が圧迫される際の変形の支持及び圧迫された後の回復力が提供され、これによって着用時の吸着による圧迫力が吸収され、前記チーク部３'の圧迫変形による圧力が眼窩の周囲に直接加えられなくなる緩衝効果を有し、パッドによる眼窩の周囲の輪郭に対する圧迫感が低減し、これにより快適な密着効果を提供し、且つ水が滲み込まない。
【００１９】
（第３実施形態）
本考案の第３実施形態の構成を図４Ａ乃至Ｃ及び図５Ａ乃至Ｃに示す。前記パッド１"の構造は同様に、連接フレーム２"と、チーク部３"と、バッファ装置４"とを備える。前記連接フレーム２" は内周面２０"及び外周面２１"を有し、前記内周面２０"と外周面２１"との間には収容溝２２"が設けられ、前記ゴーグルのフレーム体の周縁への固装に用いられる。前記チーク部３"は前記連接フレーム２"の内周面２０"の周縁に沿って延伸され、外側面３０"及び内側面３１"を有し、前記内側面３１"は眼窩の周囲への接触に使用される。前記バッファ装置４"は前記連接フレーム２"の内周面２０"の周縁と前記チーク部３"の外側面３０"との間に設置される。本実施形態に係る前記バッファ装置４"は複数のチャンバー４０"を備え、各チャンバー４０"は２つの中央支持リブ４０１"及び複数の周辺４０２"によりハニカム形状等の幾何形状に形成され、且つ同様なハニカム形状の開口部４０３"を有する。前記複数のチャンバー４０"及び開口部４０３"により前記チーク部３"が圧迫される際の変形の支持及び圧迫された後の回復力が提供され、これによって着用時の吸着による圧迫力が吸収され、前記チーク部３"の圧迫変形による圧力が眼窩の周囲に直接加えられなくなる緩衝効果を有し、パッドによる眼窩の周囲の輪郭に対する圧迫感が低減し、これにより快適な密着効果を提供し、且つ水が滲み込まない。第１実施形態のように、前記パッド１"は眼窩の周囲の輪郭に適合され、眼窩の眉毛に近接される一側に位置される連接フレーム２"、チーク部３"及びバッファ装置４"の軸方向長さＴ１(図４Ｂ参照)は、眼窩の頬骨に近接される一側に位置される軸方向長さＴ２(図４Ｃ参照)より短く、このため眼窩の周囲の上が凸み下が凹む輪郭に適合され、前記パッドが着用後に眼窩の周囲の輪郭にスムーズにぴったりと接触される。このため、着用時に上述の前記複数のチャンバー４０"及び開口部４０３"による緩衝効果に加え、チーク部３"全体が眼窩の周囲の上が凸み下が凹む輪郭にスムーズに接触される設計により、眼窩の周囲の輪郭に軽快にフィットし、快適に接触される効果を有する。また、前記複数のチャンバー４０"は眼窩の周囲の輪郭に適合され、眼窩の眉毛に近接される一側には局部的に設置されると共に分散され(図４Ｂ参照)、眼窩の頬骨に近接される一側には全面的に設置されると共に密集される(図４Ｃ参照)。このほか、これら前記複数のチャンバー４０"は、眼窩の鼻梁に近接される一側から眼窩の目尻に近接される一側に沿って配列され、小さいものから徐々に大きくなるように設置される。これにより、眼窩の周囲の上が凸み下が凹む輪郭に適合され、これら前記複数のチャンバー４０"により、どのような圧迫変形の力も緩衝されて吸収される。また、前記連接フレーム２"の外周面２１"には前記ハニカム形状の開口部と同じハニカム形状２１１"が設けられるため、前記連接フレーム２"及び前記バッファ装置４"に視覚的な一体感が形成される。
【００２０】
ちなみに、図４Ａ及び図４Ｂに示すように、前記パッド１は眼窩の周囲の輪郭に適合され、眼窩の眉毛に近接される一側に位置される連接フレーム２、チーク部３及びバッファ装置４の軸方向長さＴ１は、眼窩の頬骨に近接される一側に位置される軸方向長さＴ２より短く、眼窩の周囲の上が凸み下が凹む輪郭に適合され、前記パッドが着用後に眼窩の周囲の輪郭にスムーズにぴったりと接触される(第３実施形態に図を組み合わせて説明する)。これにより、着用時に上述のこれら前記支持リブ４１及びこれら前記開口部４２による緩衝効果が得られる以外、チーク部３全体が眼窩の周囲の上が凸み下が凹む輪郭にスムーズに接触される設計により、眼窩の周囲の輪郭に軽快にフィットし、快適な接触効果を有する。
【００２１】
さらに、図６Ａ及び図６Ｂに示すように、本考案に係るパッド１"は、前記連接フレーム２"の内周面２０"の周縁と前記チーク部３"の外側面３０"との間に複数のチャンバー４０"及び開口部４０３"が設置される(すなわち、前記バッファ装置４")。これにより、前記チーク部３"が圧迫される際の圧迫変形の圧力が複数のチャンバー４０"及び開口部４０３"により吸収され、眼窩の周囲に直接加えられなくなる緩衝効果を有する。これに対して、従来のパッド５の顔当て５１と連接フレーム５０との間に緩衝設計はなく（図６Ａ参照）、よって、前記チーク部５１が圧迫される際の圧迫変形の圧力が眼窩の周囲に直接加えられ、着用過程で不快感があり、眼窩の周りに跡がつく現象が発生する。
【００２２】
なお、図７乃至図９は本考案に係るパッド１"、ゴーグルの左右のフレーム体６０、６１及び連接部材６２の組み合わせの展開図、組み合わせ図、及び組み合わせられた後の正面図、上面図及び底面図である。本考案パッド１"が装設された後にゴーグル全体は、前記バッファ装置４"の前記複数のチャンバー４０"及び装飾に用いられるハニカム形状２１１"により特別な視覚効果を呈する。眼窩の眉毛に近接される一側に位置される前記複数のチャンバー４０"は局部的に設置されると共に分散され(図９Ｂ参照)、眼窩の頬骨に近接される一側には全面的に設置されると共に密集される(図９Ｂ参照)。一旦着用すると、上述の前記複数のチャンバー４０"及び開口部４０３"による緩衝効果以外、チーク部３"全体が眼窩の周囲の上が凸み下が凹む輪郭にスムーズに接触される設計により、眼窩の周囲の輪郭に軽快にフィットし、快適な接触効果を有する。
【００２３】
従って、本明細書に開示された実施例は、本考案を限定するものではなく、説明するためのものであり、このような実施例によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００２４】
１、１'、１"  パッド
２、２'２"  連接フレーム
３、３'３"  チーク部
４、４'４"  バッファ装置
２０、２０'、２０"  内周面
２１、２１'、２１"  外周面
２２、２２'、２２"  収容溝
３０、３０'、３０"  外側面
３１、３１'、３１"  内側面
４１、４０１'、４０１"  支持リブ
４２、４０３'、４０３"  開口部
４０２"  周辺
Ｔ１、Ｔ２  パッドの軸方向長さ
【図１Ａ】
0003205202.tif 000003
【図１Ｂ】
0003205202.tif 000004
【図１Ｃ】
0003205202.tif 000005
【図１Ｄ】
0003205202.tif 000006
【図２】
0003205202.tif 000007
【図３】
0003205202.tif 000008
【図４Ａ】
0003205202.tif 000009
【図４Ｂ】
0003205202.tif 000010
【図４Ｃ】
0003205202.tif 000011
【図５】
0003205202.tif 000012
【図５Ａ】
0003205202.tif 000013
【図５Ｂ】
0003205202.tif 000014
【図５Ｃ】
0003205202.tif 000015
【図６Ａ】
0003205202.tif 000016
【図６Ｂ】
0003205202.tif 000017
【図７】
0003205202.tif 000018
【図８】
0003205202.tif 000019
【図９Ａ】
0003205202.tif 000020
【図９Ｂ】
0003205202.tif 000021
【図９Ｃ】
0003205202.tif 000022